(57)【要約】【課題】センサ部によって光源からの照射光が不自然に遮光されたり、不自然に反射したりすることがなく、配光性の良好な照明器具を提供する。【解決手段】照明器具本体と、センサ部を含むセンサユニットと、を備えた照明器具であって、照明器具本体は、光源５０を取り付ける光源取付部２０と、光源５０からの光を照射する開口部２４と、照明器具本体１０の照射面側の外縁を構成するとともに、開口部２４の一部を構成する第１縁部２７を有する枠部２６と、センサユニット７０を保持するとともに、開口部２４の一部を構成する第２縁部４１を有するセンサユニット保持部４０と、第１縁部２７から光源取付部２０に向けて形成される第１反射部３１と、第２縁部４１から光源取付部２０に向けて形成される第２反射部３２と、を備え、第１反射部３１と第２反射部３２は、滑らかに連続する面で形成される。【選択図】図１
2014238984.tif 000002
【特許請求の範囲】
【請求項１】
照明器具本体と、センサ部を含むセンサユニットと、を備えた照明器具であって、
前記照明器具本体は、
光源を取り付ける光源取付部と、
前記光源からの光を照射する開口部と、
前記照明器具本体の照射面側の外縁を構成するとともに、前記開口部の一部を構成する第１縁部を有する枠部と、
前記センサユニットを保持するとともに、前記開口部の一部を構成する第２縁部を有するセンサユニット保持部と、
前記第１縁部から前記光源取付部に向けて形成される第１反射部と、
前記第２縁部から前記光源取付部に向けて形成される第２反射部と、
を備え、
前記第１反射部と前記第２反射部は、滑らかに連続する面で形成されている、照明器具。
【請求項２】
請求項１に記載の照明器具であって、
前記開口部を構成する前記第１縁部及び前記第２縁部と、前記第１反射部及び前記第２反射部とが、一体成型されている、照明器具。
【請求項３】
請求項１又は２に記載の照明器具であって、
前記センサユニット保持部は、前記センサ部が前記照明器具本体の照射面側に向くように配置されるセンサ配置面を有し、
前記第２反射部は、前記センサ配置面に対して略垂直に形成されている、照明器具。
【請求項４】
請求項３に記載の照明器具であって、
前記第２反射部は、平坦面を有しており、前記平坦面が前記センサ配置面に対して略垂直に形成されている、照明器具。
【請求項５】
請求項１から４のいずれか１項に記載の照明器具であって、
前記光源から前記センサ部に向かう照射光を遮光する遮光部を前記第２縁部に有する、照明器具。
【請求項６】
請求項３又は４のいずれか１項に記載の照明器具であって、
前記センサユニット保持部は、
前記センサ配置面に対して略垂直に形成され、内部に前記センサユニットを収容する空間を構成する側壁部を有する、照明器具。
【請求項７】
請求項６に記載の照明器具であって、
前記センサユニット保持部は、前記側壁部の端部で前記センサユニットを挿入するための挿入口を構成し、
前記センサユニットと前記センサユニット保持部との間に介在させるパッキンを、前記挿入口の周縁部に配置する、照明器具。
【請求項８】
請求項１から６のいずれか１項に記載の照明器具であって、
前記センサユニット保持部は、前記照明器具本体に対して一体成型されている、照明器具。
【請求項９】
請求項１から８のいずれか１項に記載の照明器具であって、
前記センサ部は、前記枠部に対して、前記枠部の中心側に設けられている、照明器具。
【請求項１０】
請求項１から８のいずれか１項に記載の照明器具であって、
前記センサ部は、一部が前記枠部に対して重なっている、照明器具。
【請求項１１】
請求項１から１０のいずれか１項に記載の照明器具であって、
前記光源の点灯を制御する点灯制御回路を更に備え、
前記光源は、前記点灯制御回路から離れるように、前記枠部の中心からオフセットして配置される、照明器具。
【請求項１２】
請求項１から１１のいずれか１項に記載の照明器具であって、
前記光源の点灯を制御する点灯制御回路を収容する回路収容部を更に備え、
前記照明器具本体は、放熱部を更に備え、
前記回路収容部は、前記センサユニット保持部及び前記放熱部に重なるように配置され、
前記点灯制御回路と前記光源とを電気的に接続する第１接続線は、前記回路収容部が前記放熱部に重なる位置で配線され、
前記点灯制御回路と前記センサユニットとを電気的に接続する第２接続線は、前記回路収容部が前記センサユニット保持部に重なる位置で配線される、照明器具。
【発明の詳細な説明】
【技術分野】
【０００１】
本発明は、照度センサや人感センサ等のセンサ部を有する照明器具の技術に関する。
【背景技術】
【０００２】
従来、照度センサや人感センサ等のセンサ部を有する照明器具は公知である。このような照明器具は、センサ部の検知信号に基づいて、点灯及び消灯の切り替えや、照度の変更等を行う。
【０００３】
特許文献１に開示される照明器具は、器具本体にセンサ部が取り付けられており、反射板にセンサ挿通孔が形成されている。器具本体に反射板を取り付けると、センサ挿通孔からセンサ部が突出する。
【先行技術文献】
【特許文献】
【０００４】
【特許文献１】特開２００３−６８１３３号公報
【発明の概要】
【発明が解決しようとする課題】
【０００５】
しかしながら、特許文献１の照明器具は、反射板からセンサ部が突出しているため、反射板の面とセンサ部の周囲の面とが不連続になっている。このため、光源からの照射光が不自然に遮光されたり、不自然に反射したりし、照明器具の配光性に悪影響を及ぼす。
【０００６】
本発明は、上記課題を解決すべくなされたものである。本発明の目的は、センサ部によって光源からの照射光が不自然に遮光されたり、不自然に反射したりすることがなく、配光性の良好な照明器具を提供することである。
【課題を解決するための手段】
【０００７】
本願に開示する照明器具は、上記課題を解決すべくなされたものである。
本願に開示する照明器具は、照明器具本体と、センサ部を含むセンサユニットと、を備えた照明器具である。
照明器具本体は、光源を取り付ける光源取付部と、光源からの光を照射する開口部と、照明器具本体の照射面側の外縁を構成するとともに、開口部の一部を構成する第１縁部を有する枠部と、センサユニットを保持するとともに、開口部の一部を構成する第２縁部を有するセンサユニット保持部と、第１縁部から光源取付部に向けて形成される第１反射部と、第２縁部から光源取付部に向けて形成される第２反射部と、を備える。
第１反射部と第２反射部は、滑らかに連続する面で形成される。
【０００８】
本願に開示する照明器具は、開口部を構成する第１縁部及び第２縁部と、第１反射部及び第２反射部とが、一体成型されていることが好ましい。
【０００９】
本願に開示する照明器具において、センサユニット保持部は、センサ部が照明器具本体の照射面側に向くように配置されるセンサ配置面を有し、第２反射部は、センサ配置面に対して略垂直に形成されていてもよい。
【００１０】
本願に開示する照明器具において、第２反射部は、平坦面を有しており、平坦面がセンサ配置面に対して略垂直に形成されていてもよい。
【００１１】
本願に開示する照明器具において、光源からセンサ部に向かう照射光を遮光する遮光部を第２縁部に有してもよい。
【００１２】
本願に開示する照明器具において、センサユニット保持部は、センサ配置面に対して略垂直に形成され、内部にセンサユニットを収容する空間を構成する側壁部を有することが好ましい。
【００１３】
本願に開示する照明器具において、センサユニット保持部は、側壁部の端部でセンサユニットを挿入するための挿入口を構成し、センサユニットとセンサユニット保持部との間に介在させるパッキンを、挿入口の周縁部に配置することが好ましい。
【００１４】
本願に開示する照明器具において、センサユニット保持部は、照明器具本体に対して一体成型されていることが好ましい。
【００１５】
本願に開示する照明器具において、センサ部は、枠部に対して、枠部の中心側に設けられていてもよい。
【００１６】
本願に開示する照明器具において、センサ部は、一部が枠部に対して重なっていてもよい。
【００１７】
本願に開示する照明器具は、光源の点灯を制御する点灯制御回路を更に備え、光源は、点灯制御回路から離れるように、枠部の中心からオフセットして配置されてもよい。
【００１８】
本願に開示する照明器具は、光源の点灯を制御する点灯制御回路を収容する回路収容部を更に備え、照明器具本体は、放熱部を更に備え、回路収容部は、センサユニット保持部及び放熱部に重なるように配置され、点灯制御回路と光源とを電気的に接続する第１接続線は、回路収容部が放熱部に重なる位置で配線され、点灯制御回路とセンサユニットとを電気的に接続する第２接続線は、回路収容部がセンサユニット保持部に重なる位置で配線されることが好ましい。
【発明の効果】
【００１９】
本願に開示する照明器具によれば、光源からの照射光が、第１反射部と第２反射部の連続部において不自然に遮光されたり、不自然に反射したりすることがなく、配光性が向上する。
【図面の簡単な説明】
【００２０】
【図１】本発明の実施形態に係る照明器具１００の斜視図。
【図２】図１のＡ―Ａ線における断面図。
【図３】照明器具本体１０にセンサユニット７０を取り付ける状態を示す斜視図。
【図４】（Ａ）図３のＢ―Ｂ線における断面図、（Ｂ）図３のＣ―Ｃ線における断面図。
【図５】変形例に係る照明器具本体１０の斜視図。
【図６】図５のＤ―Ｄ線における断面図。
【図７】別の変形例に係る照明器具本体１０の斜視図。
【図８】さらに別の変形例に係る照明器具１１０の断面図。
【図９】照明器具１１０の下面図。
【発明を実施するための形態】
【００２１】
本発明の実施形態に係る照明器具１００について、図１から図４を用いて説明する。本実施形態に係る照明器具１００は、センサ部７１を含むセンサユニット７０を有するダウンライトである。ダウンライトは、天井等の取付面に埋め込まれて設置される。以下では、光を照射する側を照明器具１００の下面側とし、上面側は下面側の反対側（取付状態では取付面側）として説明する。
【００２２】
尚、本施形態で説明するダウンライトは本発明に係る照明器具の一例である。照明器具の種類は限定されず、ダウンライトの他に、例えばシーリングライト（天井直付け灯）、ブラケットライト（壁直付け灯）、間接照明灯等であってもよい。また、照明器具の下面側の形状も限定されず、本実施形態で説明する円形の他に、例えば細長い形状や方形等であってもよい。
【００２３】
図１、図２に示すように、照明器具１００は、主に照明器具本体１０、光源５０、セード５６、回路収容部６０、点灯制御回路６１、センサユニット７０、及び取付バネ部８０を有している。
【００２４】
照明器具本体１０は、照明器具１００の基体となる部材である。照明器具本体１０は、光源５０から発する熱を放熱させるために、熱伝導性が高い素材を用いて形成されていることが好ましい。照明器具本体１０は、樹脂で形成されていてもよいが、少なくとも熱伝導性が高い素材で形成されていることが好ましく、例えばアルミニウム合金等の金属素材で形成されていることが好ましい。本実施形態では、照明器具本体１０は、高い熱伝導性、成形容易性、材料コストなどを考慮し、アルミニウム合金（ＡＤＣ１２）の鋳造部品で一体成型している。
【００２５】
照明器具本体１０は、主に光源取付部２０、放熱部２１、開口部２４、枠部２６、取付バネ固定部２８、反射部３０、センサユニット保持部４０、を有している。照明器具本体１０の構成については後に詳細に説明する。
【００２６】
光源５０は、光源基板としてのＬＥＤモジュール基板５１を有している。ＬＥＤモジュール基板５１は、基板５２上に半導体発光素子としてのＬＥＤ（Ｌｉｇｈｔ  Ｅｍｉｔｔｉｎｇ  Ｄｉｏｄｅ）５３が実装されている。ＬＥＤモジュール基板５１は、ＬＥＤ５３と、ＬＥＤ５３に接続されている電極（いわゆるアノード電極、カソード電極）とが設けられている。ＬＥＤモジュール基板５１は、ホルダ５４に取り付けられ、電気的に接続されている。ホルダ５４は、照明器具本体１０の光源取付部２０に取り付けられる。尚、光源５０はＬＥＤ５３に限られず、他の半導体発光素子、例えばＥＬ（Ｅｌｅｃｔｒｏｌｕｍｉｎｅｓｃｅｎｃｅ）を用いてもよい。
【００２７】
セード５６は、光源５０からの光を反射及び拡散させつつ、外部へ配光する。セード５６は、光源５０の下面側を覆うように照明器具本体１０の光源取付部２０の下面側に取り付けられる。セード５６は、例えば透光性を有する樹脂素材で形成されている。
【００２８】
回路収容部６０は、点灯制御回路６１を収容する。回路収容部６０は、点灯制御回路６１から発する熱を放熱させるために、熱伝導性が高い素材を用いて形成されている。回路収容部６０は、センサユニット保持部４０及び放熱部２１に重なるように配置される。点灯制御回路６１から発生する熱は、主に回路収容部６０へ伝達されて空気中へ発散される。また、点灯制御回路６１から発生する熱の一部は、回路収容部６０から照明器具本体１０の放熱部２１へ伝達されて空気中へ発散される場合がある。
【００２９】
点灯制御回路６１は、光源５０の点灯を制御するための回路である。点灯制御回路６１は、電源回路や調光回路などを構成する電気部品（図示せず）と、電気部品が実装された基板（図示せず）と、を備える。電源回路は、外部電源から得られた交流電流を直流電流に変換する回路を含む。調光回路は、電流の振幅または位相を制御してＬＥＤ５３へ供給する電流量を調節する。また、点灯制御回路６１は、センサユニット７０のセンサ部７１からの検知信号に基づき、光源５０の点灯及び消灯の切り替えや、光源５０の照度の変更等を行う。
【００３０】
点灯制御回路６１は、回路収容部６０の側面の端子台６２に電気的に接続されている。端子台６２には、施工時に外部電源からの電線（図示せず）が電気的に接続される。点灯制御回路６１は、端子台６２及び照明器具用の天井配線器具（図示せず）を介して外部電源と電気的に接続される。点灯制御回路６１と光源５０は、第１接続線５５を介して電気的に接続されている。点灯制御回路６１とセンサユニット７０は、第２接続線７５を介して電気的に接続されている。第１接続線５５は、回路収容部６０が放熱部２１に重なる位置で配線されている。第２接続線７５は、回路収容部６０がセンサユニット保持部４０に重なる位置で配線されている。
【００３１】
図３に示すように、センサユニット７０は、センサ部７１、スイッチ７２、及びユニットケース７３を有している。本実施形態のセンサ部７１は人感センサである。人感センサは、人間等から放射される熱線（赤外線）の量の変化を検知するセンサである。スイッチ７２は、センサ部７１の検知感度の切り替え等を行うものである。ユニットケース７３は、人感センサを構成する回路等が収容される。本実施形態のユニットケース７３は、上面側及び下面側が閉塞された略筒状の容器である。上面側にはフランジ７４が形成される。センサ部７１及びスイッチ７２は、ユニットケース７３の下面側に突出するように設けられている。センサ部７１には、主として人間等から放射される熱線を導入するレンズ群が設けられている。なお、センサ部７１は、赤外線センサに限らず、超音波センサ、電波センサなどを用いてもよい。
【００３２】
図１、図２に示すように、取付バネ部８０は、天井等の取付面に照明器具１００を固定する。取付バネ部８０は、照明器具本体１０の周方向に設けられる取付バネ固定部２８に固定される。取付バネ部８０は、枠部２６の上面側から斜め上方に向けて取り付けられる。取付バネ部８０は、ステンレス素材等で形成された金属板を屈曲させて形成されている。取付バネ部８０の形状、取付位置、本数等については、本実施形態のものに限定されない。
【００３３】
次に、照明器具本体１０の構成について詳細に説明する。
【００３４】
図３に示すように、照明器具本体１０の上面側には、放熱部２１が設けられている。放熱部２１には、複数のフィン２２が形成される。放熱部２１の内部には、光源５０を取り付ける光源取付部２０が設けられている。光源５０が発する熱は、放熱部２１のフィン２２に伝達されて空気中へ放熱される。放熱部２１には、第１接続線５５を通すための挿通部２３が形成されている。
【００３５】
本実施形態では、放熱部２１の外側に点灯制御回路６１が配置される。「放熱部２１の外側」とは、図１に示すように、放熱部２１の中心軸に対して、光源５０の光軸に直交する方向にずれた位置のことである。つまり、本実施形態の光源５０と点灯制御回路６１は、放熱部２１の中心軸に対して、光源５０の光軸に直交する方向にずれた位置に配置される。
【００３６】
図１、図２、及び図４に示すように、照明器具本体１０の下面側には、光源５０からの光を照射する開口部２４が設けられている。開口部２４の一部は、枠部２６の一部である第１縁部２７によって構成されている。つまり、第１縁部２７は、反射部３０と枠部２６との境界に位置している。枠部２６は、照明器具本体１０の照射面側の外縁を構成し、照明器具１００を天井等の取付面に設置した状態で取付面に接触する部分である。開口部２４の残りの部分は、センサユニット保持部４０の一部である第２縁部４１によって構成されている。つまり、第２縁部４１は、反射部３０とセンサユニット保持部４０との境界に位置している。本実施形態では、開口部２４を構成する第１縁部２７及び第２縁部４１は一体成型されている。
【００３７】
開口部２４から光源取付部２０にかけては、光源５０からの光を反射させる反射部３０が形成されている。反射部３０は、光源取付部２０から開口部２４に向けて漸次拡開させた末広がりの形状に形成されている。本実施形態では、反射部３０は、第１反射部３１及び第２反射部３２で構成されている。第１反射部３１は、枠部２６の第１縁部２７から光源取付部２０に向けて形成されている。第２反射部３２はセンサユニット保持部４０の第２縁部４１から光源取付部２０に向けて形成されている。第２反射部３２の一部には、平坦面３３が形成されている。第１反射部３１と第２反射部３２は、滑らかに連続する面で形成されている。本実施形態では、第１反射部３１及び第２反射部３２は一体成型されている。第１反射部３１と第２反射部３２との境界は、セード５６の径方向中心と、第２縁部４１の端部とを結ぶ直線（不図示）である。
【００３８】
図２、図３に示すように、センサユニット保持部４０は、センサユニット７０を保持する部分である。センサユニット保持部４０は、照明器具本体１０に対して一体成型されている。センサユニット保持部４０の内部形状は、センサユニット７０を保持できるよう、ユニットケース７３の外形に対応した形状に形成されている。
【００３９】
センサユニット保持部４０は、センサ配置面４２及び側壁部４３を有する。センサ配置面４２は、センサユニット７０を保持した状態で、センサ部７１及びスイッチ７２に対向する部分である。センサ配置面４２には、センサ部７１の位置に対応して形成される第１透孔４４と、スイッチ７２の位置に対応して形成される第２透孔４５が設けられる。第１透孔４４は、センサユニット７０をセンサユニット保持部４０に保持させた状態で、透光センサ部７１が照明器具本体１０の照射面側（下面側）に向くように突出させる貫通孔である。第１透孔４４は、枠部２６に対して、枠部２６の中心側に設けられ、センサ部７１が、枠部２６に対して、枠部２６の中心側に設けられるようにする。つまり、センサ部７１が、枠部２６の径方向内側に設けられるようにする。第２透孔４５は、センサユニット７０をセンサユニット保持部４０に保持させた状態で、照明器具本体１０の照射面側（下面側）からスイッチ７２を操作できるようにする貫通孔である。
【００４０】
側壁部４３は、センサ配置面４２に対して略垂直に形成され、内部にセンサユニット７０を収容する空間を構成する。側壁部４３の端部は、センサユニット７０を挿入するための挿入口４６を構成する。挿入口４６の周囲には、センサユニット７０を例えばネジ４７で固定するためのネジ穴４８が形成される。
【００４１】
図３に示すように、センサユニット保持部４０にセンサユニット７０を保持させる場合、センサユニット保持部４０の挿入口４６の周縁部とセンサユニット７０のフランジ７４との間にパッキン４９を介在させる。その上で、ネジ４７をネジ穴４８に螺入してセンサユニット保持部４０にセンサユニット７０を固定する。
【００４２】
以上説明した本実施形態に係る照明器具１００によれば、次のような効果を有する。
【００４３】
照明器具１００によれば、第１反射部３１と第２反射部３２は、滑らかに連続する面で形成されている。このため、光源５０からの照射光が、第１反射部３１と第２反射部３２の連続部において不自然に遮光されたり、不自然に反射したりすることがなく、配光性が向上する。
【００４４】
照明器具１００によれば、開口部２４を構成する第１縁部２７及び第２縁部４１と、第１反射部３１及び第２反射部３２とが、一体成型されている。このため、第１縁部２７及び第２縁部４１の連続部や、第１反射部３１及び第２反射部３２の連続部において、光源５０からの照射光が、不自然に遮光されたり、不自然に反射したりしにくくなり、配光性が向上する。
【００４５】
特許文献１の照明器具は、反射板内にセンサ部が突出しているため、光源からの照射光をセンサ部が誤検知する。センサ部の誤検知により、例えば、必要のない点灯及び消灯を頻繁に繰り返す（チャタリング）などの誤作動が発生する可能性がある。
これに対して、照明器具１００によれば、第２反射部３２とセンサ配置面４２は、第２縁部４１で仕切られている。このため、第２反射部３２は、光源５０からセンサ部７１に向かう照射光を遮光し、チャタリングを防止できる。
【００４６】
照明器具１００によれば、センサ配置面４２に対して略垂直に形成され、内部にセンサユニット７０を収容する空間を構成する側壁部４３を有する。このため、センサユニット７０を容易かつ確実に取り付けることができる。また、センサユニット保持部４０はアルミニウム合金で成型されているため、光源５０から照射される光が透過することがなく、センサ部７１が誤検知することを防止する。
【００４７】
特許文献１の照明器具は、高気密性が必要な場合、反射板とセンサ部との間にパッキンを介在させる必要がある。反射板とセンサ部は、３次元的な形状で組み合されているため、パッキンも複雑な形状となる。複雑な形状のパッキンはコストが高いだけでなく、密着度が不均一になりやすいことから気密性が低下しやすい。
これに対して、照明器具１００によれば、センサユニット７０とセンサユニット保持部４０との間に介在させるパッキン４９を、挿入口４６の周縁部に配置する。挿入口４６の周縁部が平坦形状であるとともに、フランジ７４の下面（挿入口４６の周縁部に対向する面）が平坦形状であるため、パッキン４９の形状を簡単な形状（例えば厚さが均一な形状）にすることができ、パッキン４９のコストが安価になるとともに、気密性を容易に確保することができる。
【００４８】
照明器具１００によれば、センサユニット保持部４０は、照明器具本体１０に対して一体成型されている。このため、センサユニット保持部４０を照明器具本体１０に対して別体に構成する場合と比較して、組立性が向上する。
【００４９】
特開２００５−３４６９５７号公報及び特開２００５−２５１６００号公報に開示される照明器具は、照明器具の照射面側の外縁を構成する枠部の外側にセンサ部が設けられている。枠部の外側にセンサ部が設けられていると、照明器具が大型化するとともに、意匠性が低下する。
また、特開２００３−８６０１９号公報の図１０に開示される照明器具は、照明器具の照射面側の外縁を構成する枠部の内側にセンサ部が設けられている。特許文献４の段落０００６に記載されているように、この照明器具は、光源の外側にセンサ部を設け、光源とセンサ部を内包する大きさの枠部を設けている。このため、光源のみを内包している照明器具と比べて外形寸法が大きくなる。
これに対して、照明器具１００によれば、センサ部７１は、枠部２６に対して、枠部２６の中心側に設けられている。上記従来の枠部の外側にセンサ部を備える構成や、光源とセンサ部を内包する大きさの枠部を設ける構成に比べて、照明器具１００がコンパクトになるとともに、照明器具１００の意匠性が向上する。
【００５０】
照明器具１００によれば、点灯制御回路６１と光源５０とを電気的に接続する第１接続線５５は、回路収容部６０が放熱部２１に重なる位置で配線され、点灯制御回路６１とセンサユニット７０とを電気的に接続する第２接続線７５は、回路収容部６０がセンサユニット保持部４０に重なる位置で配線される。このため、点灯制御回路６１と光源５０、及び点灯制御回路６１とセンサユニット７０とを短い距離で接続することができ、配線が容易で組立性が向上する。また、回路収容部６０は、センサユニット保持部４０及び放熱部２１に重なるように配置されるため、照明器具１００がコンパクトになる。
【００５１】
以上、本発明の実施形態について説明したが、本発明は上記実施形態に限定されるものではない。
【００５２】
例えば、図５及び図６に示すように、第１透孔４４の一部が枠部２６に対して重なるように配置してもよい。これにより、センサ部７１は、その一部が枠部２６に重なって配置される。この場合、小型（枠部２６の直径が小さい）の照明器具１００でも、開口部２４の大きさを確保して配光性を高めることができる。
【００５３】
また、図５及び図６に示すように、第２反射部３２をセンサ配置面４２に対して略垂直に形成してもよい。この場合、第２反射部３２は、光源５０からセンサ部７１に向かう照射光を遮光する。よって、センサ部７１には照射光（赤外線）が入りにくくなるため、センサ部７１のチャタリングを防止できる。特に、図５及び図６に示すように、第２反射部３２に平坦面３３を形成し、平坦面３３がセンサ配置面４２に対して略垂直に形成されるようにしてもよい。この場合、平坦面３３は、光源５０からセンサ部７１に向かう照射光を遮光し、チャタリングを防止できる。
【００５４】
図７に示すように、光源５０からセンサ部７１に向かう照射光を遮光する遮光部３４を第２縁部４１に形成してもよい。この場合、遮光部３４は、光源５０からセンサ部７１に向かう照射光を遮光する。よって、センサ部７１には照射光（赤外線）が入りにくくなるため、センサ部７１のチャタリングを防止できる。
【００５５】
図８、図９に示すように、光源５０が点灯制御回路６１から離れるように、光源５０を枠部２６の中心からオフセットして配置してもよい。図８、図９では、枠部２６の中心をＣ１、光源５０の中心をＣ２とし、枠部２６の中心Ｃ１に対する光源５０の中心Ｃ２の径方向のオフセット量をＬとしている。光源５０の中心Ｃ２が枠部２６の中心Ｃ１からオフセットされる方向は、光源５０が点灯制御回路６１から離れる方向である。この場合、発熱源である光源５０と点灯制御回路６１とが離れることとなり、光源５０及び点灯制御回路６１の放熱性を向上させることができる。
【符号の説明】
【００５６】
１００  照明器具
１０    照明器具本体
２０    光源取付部
２１    放熱部
２２    フィン
２３    挿通部
２４    開口部
２６    枠部
２７    第１縁部
２８    取付バネ固定部
３０    反射部
３１    第１反射部
３２    第２反射部
３３    平坦面
３４    遮光部
４０    センサユニット保持部
４１    第２縁部
４２    センサ配置面
４３    側壁部
４４    第１透孔
４５    第２透孔
４６    挿入口
４７    ネジ
４８    ネジ穴
４９    パッキン
５０    光源
５１    ＬＥＤモジュール基板
５２    基板
５３    ＬＥＤ
５４    ホルダ
５５    第１接続線
５６    セード
６０    回路収容部
６１    点灯制御回路
６２    端子台
７０    センサユニット
７１    センサ部
７２    スイッチ
７３    ユニットケース
７４    フランジ
７５    第２接続線
８０    取付バネ部
【図１】
2014238984.tif 000003
【図２】
2014238984.tif 000004
【図３】
2014238984.tif 000005
【図４】
2014238984.tif 000006
【図５】
2014238984.tif 000007
【図６】
2014238984.tif 000008
【図７】
2014238984.tif 000009
【図８】
2014238984.tif 000010
【図９】
2014238984.tif 000011